【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
暗号化申し込みメッセージを発生するために申し込み識別子を暗号化するステップであって、前記暗号化は暗号化モジュールによって促進され、前記暗号化モジュールは、前記暗号化に先立って、受信側メッセージング・デバイスとの暗号化関係を起動する、ステップと、
ピア・ツー・ピア通信リンクを通じて、前記暗号化申し込みメッセージを前記受信側メッセージング・デバイスに伝達し、該受信側メッセージング・デバイスが前記暗号化申し込みメッセージを解読し、暗号化申し込み返答を発生するために前記申し込み識別子を返答申し込み識別子として暗号化するステップと、
前記受信側メッセージング・デバイスからの暗号化申し込み返答を受信するステップと、
前記暗号化申し込み返答を解読するステップと、
前記ピア・ツー・ピア通信リンクを通じて伝達するときに、通信が安全確実であることを確立するために、前記返答申し込み識別子が前記申し込み識別子と一致することを検証するステップと、
を備えている、方法。
【請求項２】
請求項１記載の方法であって、更に、
前記申し込み識別子をランダムに発生するステップと、
前記申し込み識別子をメモリに格納するステップと、
を備えている、方法。
【請求項３】
請求項１記載の方法であって、更に、
発行認可を、前記受信側メッセージング・デバイスと対応付けるステップと、
前記受信側メッセージング・デバイスに向けた通信を暗号化するために、前記発行認可をメモリに格納するステップと、
を備えている、方法。
【請求項４】
請求項１記載の方法であって、更に、
前記発行認可を、前記受信側メッセージング・デバイスと対応付けるステップと、
前記発行認可に対応する使用認可を得るステップと、
前記受信側メッセージング・デバイスから受信した通信を解読するために、前記使用認可を格納するステップと、
を備えている、方法。
【請求項５】
請求項１記載の方法であって、更に、
前記受信側メッセージング・デバイスへの通信を発生するステップと、
暗号化通信を発生するために、前記受信側メッセージング・デバイスと対応付けられた発行認可に埋め込まれている暗号化鍵によって前記通信を暗号化するステップと、
ピア・ツー・ピア通信リンクを通じて前記暗号化通信を前記受信側メッセージング・デバイスに伝達し、該受信側メッセージング・デバイスが前記暗号化通信を解読するステップと、
を備えている、方法。
【請求項６】
請求項１記載の方法であって、更に、
前記ピア・ツー・ピア通信リンクを通じて、前記受信側メッセージング・デバイスから暗号化通信を受信するステップと、
前記受信側メッセージング・デバイスと対応付けられた発行認可に対応する使用認可によって、前記暗号化通信を解読するステップと、
を備えている、方法。
【請求項７】
インスタント・メッセージング・システムであって、
ピア・ツー・ピア通信リンクと、
第１メッセージング・デバイスであって、前記ピア・ツー・ピア通信リンクを通じて当該第１メッセージング・デバイスから第２メッセージング・デバイスに伝達するときに、暗号化インスタント・メッセージが安全確実であることを確認するように構成され、前記確認は暗号化モジュールによって促進され、前記暗号化モジュールは、前記確認に先立って、受信側メッセージング・デバイスとの暗号化関係を起動する、第１メッセージング・デバイスと、
を備えている、インスタント・メッセージング・システム。
【請求項８】
請求項７記載のインスタント・メッセージング・システムにおいて、前記第１メッセージング・デバイスは、更に、前記ピア・ツー・ピア通信リンクを通じて伝達するときに、暗号化通信が安全確実であることを確立するように構成されており、前記暗号化通信は、ファイル転送、画像転送、テキスト系通信、オーディオ通信、ビデオ通信、またはオーディオ／ビデオ通信の内少なくとも１つを含む、インスタント・メッセージング・システム。
【請求項９】
請求項７記載のインスタント・メッセージング・システムにおいて、前記第２メッセージング・デバイスは、前記ピア・ツー・ピア通信リンクを通じて当該第２メッセージング・デバイスから前記第１メッセージング・デバイスに伝達するときに、暗号化インスタント・メッセージが安全確実であることを確立するように構成されている、インスタント・メッセージング・システム。
【請求項１０】
請求項７記載のインスタント・メッセージング・システムにおいて、
前記第１メッセージング・デバイスは、更に、暗号化申し込みを発生するために申し込み識別子を暗号化し、前記ピア・ツー・ピア通信リンクを通じて、前記暗号化申し込みを前記第２メッセージング・デバイスに伝達するように構成されており、
前記第２メッセージング・デバイスは、前記暗号化申し込みを解読し、暗号化申し込み返答を発生するために、前記申し込み識別子を返答申し込み識別子として暗号化し、前記ピア・ツー・ピア通信リンクを通じて前記暗号化申し込みを前記第１メッセージング・デバイスに伝達するように構成されており、
前記第１メッセージング・デバイスは、更に、前記暗号化申し込み返答を解読し、  前記暗号化インスタント・メッセージを前記ピア・ツー・ピア通信リンクを通じて伝達するときに、安全確実であることを確立するために、前記返答申し込み識別子が前記申し込み識別子と一致することを検証するように構成されている、インスタント・メッセージング・システム。
【請求項１１】
請求項１０記載のインスタント・メッセージング・システムにおいて、前記第１メッセージング・デバイスは、更に、
前記暗号化申し込みを発生するために、前記第２メッセージング・デバイスと対応付けられた発行認可に埋め込まれている暗号化鍵によって、前記申し込み識別子を暗号化し、
前記発行認可に対応する使用認可を取得し、
前記使用認可によって、前記暗号化申し込み返答を解読する、
ように構成されている、インスタント・メッセージング・システム。
【請求項１２】
請求項１０記載のインスタント・メッセージング・システムにおいて、前記第１メッセージング・デバイスは、更に、前記申し込み識別子をランダムに発生するように構成されている、インスタント・メッセージング・システム。
【請求項１３】
請求項１０記載のインスタント・メッセージング・システムにおいて、前記第１メッセージング・デバイスは、更に、
発行認可を前記第２メッセージング・デバイスと対応付け、
インスタント・メッセージを暗号化するために、前記発行認可を維持し、
暗号化インスタント・メッセージを発生するために、前記発行認可に埋め込まれている暗号化鍵によって、インスタント・メッセージを暗号化し、
前記ピア・ツー・ピア通信リンクを通じて、前記暗号化インスタント・メッセージを前記第２メッセージング・デバイスに伝達する、
ように構成されている、インスタント・メッセージング・システム。
【請求項１４】
請求項１０記載のインスタント・メッセージング・システムにおいて、前記第１メッセージング・デバイスは、更に、
前記第２メッセージング・デバイスと対応付けられた発行認可に対応する使用認可を取得し、
暗号化インスタント・メッセージを解読するために、前記使用認可を維持し、
前記ピア・ツー・ピア通信リンクを通じて、前記第２メッセージング・デバイスから暗号化インスタント・メッセージを受信し、
前記使用認可によって、前記暗号化インスタント・メッセージを解読する、
ように構成されている、インスタント・メッセージング・システム。
【請求項１５】
請求項１〜６のいずれかに記載の方法及び請求項７〜１４のいずれかに記載のインスタント・メッセージング・システムを実施するためのコンピュータ実行可能命令を備える、１つ又は２つ以上のコンピュータ読み取り可能媒体。